(57)【要約】      （修正有）【課題】従来システムのチャネルシステムの変更がなくかつシステム時間周波数資源を占用することなくＵＥを発見する方法を実現する。【解決手段】第１ＵＥは、移動通信システムにおける上り信号を監視し、第１ＵＥは、監視した上り信号から、上記上り信号を送信する発見待ちＵＥの識別に利用可能な第１情報を抽出し、第１ＵＥは、第１情報付き監視報告メッセージを基地局に送信し、第１ＵＥは、監視報告応答メッセージから上記発見待ちＵＥの機器識別子を取得した後に、ＵＥ発見過程を完成する。【選択図】図１
2014023157.tif 000002
【特許請求の範囲】
【請求項１】
ＵＥ発見方法において、
第１ＵＥは、移動通信システムにおける上り信号を監視することと、
第１ＵＥは、監視した上り信号から、上記上り信号を送信する発見待ちＵＥの識別に利用可能な第１情報を抽出することと、
第１ＵＥが上記第１情報付き監視報告メッセージを基地局に送信することで、基地局は、上記監視報告メッセージを受信した後に、上記監視報告メッセージに付けた上記第１情報に基づいて上記発見待ちＵＥを特定し、上記発見待ちＵＥの機器識別子付き監視報告応答メッセージが上記第１ＵＥに返信されるようにすることと、
第１ＵＥは、上記監視報告応答メッセージを受信した後に、上記監視報告応答メッセージから上記発見待ちＵＥの機器識別子を取得した後に、ＵＥ発見過程を完成することと、を含むことを特徴とするＵＥ発見方法。
【請求項２】
上記第１ＵＥはユーザ端末機器またはｅＬＡ機器であることを特徴とする請求項１に記載のＵＥ発見方法。
【請求項３】
上記上り信号はＳＲＳであり、上記第１情報はＳＲＳの情報であることを特徴とする請求項１に記載のＵＥ発見方法。
【請求項４】
上記上り信号はＰＵＳＣＨにおける上りサブフレームのＲＢ上の信号であり、上記第１情報はＰＵＳＣＨにおける上りサブフレームのＲＢ上の信号の信号強度であることを特徴とする請求項１に記載のＵＥ発見方法。
【請求項５】
第１ＵＥが移動通信システムにおける上り信号を監視することは、具体的に、
第１ＵＥは、監視待ち信号がある時間周波数資源を特定することと、
第１ＵＥは、上り信号受信技術を利用して、上記時間周波数資源上の信号をサンプリングしてベースバンドサンプリング信号を取得することと、を含むことを特徴とする請求項１に記載のＵＥ発見方法。
【請求項６】
第１ＵＥは、基地局から送信された、第２ＵＥの機器識別子付きユーザ更新メッセージを受信し、ただし、監視した上り信号から抽出した第１情報が上記第２ＵＥにより上記基地局に送信された後に、基地局が上記監視報告メッセージに付けた上記第１情報から上記第１ＵＥを識別することと、
第１ＵＥは、上記ユーザ更新メッセージから上記第２ＵＥの機器識別子を取得し、上記第２ＵＥの発見過程を完成することと、を更に含むことを特徴とする請求項１に記載のＵＥ発見方法。
【請求項７】
上記監視報告応答メッセージは、具体的に、
基地局が、上記発見待ちＵＥの識別後、上記発見待ちＵＥに対応するポリシーにしたがって、上記発見待ちＵＥを発見することが許可されると判断した場合に、上記第１ＵＥに返信された、上記発見待ちＵＥの機器識別子付きメッセージであることを特徴とする請求項１に記載のＵＥ発見方法。
【請求項８】
第１ＵＥは、基地局が上記発見待ちＵＥを識別できなかったときに送信した制御メッセージを受信した後に、上記制御メッセージに付けた発信パラメータに基づいて上り信号発信処理を行うことで、上記第１ＵＥが上記の付いている発信パラメータにしたがって発信する上り信号がより容易に監視されるようにすることを更に含むことを特徴とする請求項１に記載のＵＥ発見方法。
【請求項９】
ＵＥ発見装置において、
移動通信システムにおける上り信号を監視する監視モジュールと、
監視した上り信号から、上記上り信号を送信する発見待ちＵＥの識別に利用可能な第１情報を抽出する解析モジュールと、
上記第１情報付き監視報告メッセージを基地局に送信することで、基地局は、上記監視報告メッセージ受信後、上記監視報告メッセージに付けた上記第１情報に基づいて上記発見待ちＵＥを特定し、上記発見待ちＵＥの機器識別子付き監視報告応答メッセージが上記第１ＵＥに返信されるようにする第１送信モジュールと、
基地局が上記発見待ちＵＥを識別した後に送信した上記監視報告応答メッセージを受信した後に、上記監視報告応答メッセージから上記発見待ちＵＥの機器識別子を取得し、上記発見待ちＵＥの発見過程を完成する第１発見モジュールと、を含むことを特徴とするＵＥ発見装置。
【請求項１０】
上記監視モジュールは、具体的に、
監視待ち信号がある時間周波数資源を特定する特定ユニットと、
上り信号受信技術を利用して、上記時間周波数資源上の信号をサンプリングしてベースバンドサンプリング信号を取得するサンプリングユニットと、を含むことを特徴とする請求項９に記載のＵＥ発見装置。
【請求項１１】
基地局から送信された、第２ＵＥの機器識別子付きユーザ更新メッセージを受信し、ただし、監視した上り信号から抽出した第１情報が上記第２ＵＥにより上記基地局に送信された後に、基地局が上記監視報告メッセージに付けた上記第１情報から上記第１ＵＥを識別する第１受信モジュールと、
上記ユーザ更新メッセージから上記第２ＵＥの機器識別子を取得し、上記第２ＵＥの発見過程を完成する第２発見モジュールと、を更に含むことを特徴とする請求項９に記載のＵＥ発見装置。
【請求項１２】
基地局が上記発見待ちＵＥを識別できなかったときに送信した制御メッセージを受信した後に、上記制御メッセージに付けた発信パラメータに基づいて、上り信号送信処理を行うように上記発信機を制御することで、上記第１ＵＥが上記の付いている発信パラメータにしたがって発信する上り信号がより容易に監視されるようにする発信制御モジュールと、を更に含むことを特徴とする請求項９に記載のＵＥ発見装置。
【請求項１３】
上記監視報告応答メッセージは、具体的に、
基地局が、上記発見待ちＵＥの識別後、上記発見待ちＵＥに対応するポリシーにしたがって、上記発見待ちＵＥを発見することが許可されると判断した場合に、上記第１ＵＥに返信された、上記発見待ちＵＥの機器識別子付きメッセージであることを特徴とする請求項９に記載のＵＥ発見装置。
【請求項１４】
第１ＵＥにおいて、
発信機と、
受信機と、
セル放送メッセージに基づいて、監視待ち信号がある時間周波数資源を特定し、上り信号受信技術を利用して上記時間周波数資源上の信号をサンプリングしてベースバンドサンプリング信号を取得するように上記受信機を制御する策略決定モジュールと、
監視した上り信号から、上記上り信号を送信する発見待ちＵＥの識別に利用可能な第１情報を抽出する解析モジュールと、
上記第１情報付き監視報告メッセージを基地局に送信することで、基地局は、上記監視報告メッセージ受信後、上記監視報告メッセージに付けた上記第１情報に基づいて上記発見待ちＵＥを特定し、上記発見待ちＵＥの機器識別子付き監視報告応答メッセージが上記第１ＵＥに返信されるようにする第１送信モジュールと、
基地局が上記発見待ちＵＥを識別した後に送信した上記監視報告応答メッセージを受信した後に、上記監視報告応答メッセージから上記発見待ちＵＥの機器識別子を取得し、上記発見待ちＵＥの発見過程を完成する発見モジュールと、を含むことを特徴とする第１ＵＥ。
【請求項１５】
基地局から送信された、第２ＵＥの機器識別子付きユーザ更新メッセージを受信し、ただし、監視した上り信号から抽出した第１情報が上記第２ＵＥにより上記基地局に送信された後に、基地局が上記監視報告メッセージに付けた上記第１情報から上記第１ＵＥを識別する第１受信モジュールと、
上記ユーザ更新メッセージから上記第２ＵＥの機器識別子を取得し、上記第２ＵＥの発見過程を完成する第２発見モジュールと、を更に含むことを特徴とする請求項１４に記載の第１ＵＥ。
【請求項１６】
基地局が上記発見待ちＵＥを識別できなかったときに送信した制御メッセージを受信した後に、上記制御メッセージに付けた発信パラメータに基づいて、上り信号送信処理を行うように上記発信機を制御することで、上記発信機から発信する上り信号がより容易に監視されるようにする発信制御モジュールと、を更に含むことを特徴とする請求項１４に記載の第１ＵＥ。
【請求項１７】
上記監視報告応答メッセージは、具体的に、
基地局が、上記発見待ちＵＥの識別後、上記発見待ちＵＥに対応するポリシーにしたがって、上記発見待ちＵＥを発見することが許可されると判断した場合に、上記第１ＵＥに返信された、上記発見待ちＵＥの機器識別子付きメッセージであることを特徴とする請求項１４に記載の第１ＵＥ。
【請求項１８】
基地局において、
第１ＵＥが移動通信システムにおける上り信号を監視して、監視した上り信号から抽出したものであって、上記上り信号を送信する発見待ちＵＥの識別に利用可能な情報である第１情報付き監視報告メッセージを上記第１ＵＥから受信する第２受信モジュールと、
上記第１情報に基づいて上記発見待ちＵＥを特定する特定モジュールと、
上記発見待ちＵＥの機器識別子付き監視報告応答メッセージを上記第１ＵＥに返信することで、上記第１ＵＥが上記発見待ちＵＥの機器識別子に基づいてＵＥの発見過程を完成するようにする送信モジュールと、を含むことを特徴とする基地局。
【請求項１９】
上記第１ＵＥはユーザ端末機器またはｅＬＡ機器であることを特徴とする請求項１８に記載の基地局。
【請求項２０】
第２ＵＥから送信された監視報告メッセージに付けた第１情報から上記第１ＵＥを識別した後に、第２ＵＥの機器識別子付きユーザ更新メッセージを上記第１ＵＥに送信することで、第１ＵＥが上記第２ＵＥの機器識別子に基づいて上記第２ＵＥの発見過程を完成する第２送信モジュールと、を更に含むことを特徴とする請求項１８に記載の基地局。
【請求項２１】
上記発見待ちＵＥを識別できなかったときに、発信パラメータ付き制御メッセージを送信することで、上記第１ＵＥが上記発信パラメータに基づいて上り信号発信処理を行って、上記第１ＵＥがより容易に監視されるようにする第３送信モジュールと、を更に含むことを特徴とする請求項１８に記載の基地局。
【発明の詳細な説明】
【技術分野】
【０００１】
本発明は、移動通信技術分野に係り、特にＵＥ発見方法、ＵＥ発見装置、第１ＵＥ及び基地局に係る。
【背景技術】
【０００２】
モバイルインターネットアプリケーションが勢いよく現れ、従来の移動通信技術に対して新たな挑戦を提起し、例えばより高いユーザレート、より柔軟な通信方式などを要求する。
【０００３】
このようなリクエストを満足するために、例えばＤ２Ｄ（Device  to  Device）通信技術またはｅＬＡ（enhanced  Local  Access）技術などの新型の無線技術が提案されている。
【０００４】
従来の移動通信網においてユーザと基地局との間のリンクのみを通じて通信する方式とは異なり、Ｄ２Ｄ通信において、ユーザとユーザとの間の直接の無線リンクを通じた通信を試みる。ｅＬＡにおいて、比較的低いパワーのローカルアクセスノードを設置することにより、ユーザとローカルアクセスノードとの間の無線リンクを利用して通信する。一般的に言えば、ユーザ間またはローカル無線リンクの伝送距離が比較的短く、リンク品質が比較的高く、しかも比較的高い周波数多重化ゲインの提供が可能であるため、マクロセル（Macro  Cell）の周波数スペクトル資源に余裕がなくユーザレートが比較的低いという窮地からの緩和に役立つ。
【０００５】
ユーザ間、またはユーザとローカルアクセスノードとの間の通信を実現するには、まず少なくとも一つのユーザまたはローカルアクセスノードが近隣にある他のユーザを発見しなければならず、それから、発見したユーザとコネクションを確立して通信することができるようになる。従来の移動通信における基地局とは異なり、ユーザとローカルアクセスノードは、同期と参照信号（Reference  Signal）の周期的送信をしてユーザによるセルＩＤの識別を助けるようなことをしない。したがって、方策を設計して、ユーザ同士の相互発見またはローカルアクセスノードによる近隣ユーザ発見を実現させる必要がある。
【０００６】
従来のＵＥ発見方法は、特定な物理層チャネルを設置することによって実現する。該特定な物理層チャネルは、一定の時間周波数資源を占用し、近隣ＵＥの識別に専用される。例えば、あるＵＥは、該特定な物理層チャネルを使用して、自身ＩＤ情報を含む信号を放送するが、他の近隣ＵＥは、該特定な物理層チャネルを監視し、発見信号を受信しその中に含まれるＵＥ  ＩＤを復元すると、放送信号を送信するＵＥを発見することとなる。
【０００７】
上記の方法において、一定の時間周波数資源が占用されてＵＥの発見に専用される。これらの時間周波数資源がデータ伝送用とされることができず、システムの固定オーバーヘッドが増えることとなる。一方、従来のシステムに新しい物理層チャネルを導入することは、間違いなく従来のシステムに大きい影響を与えることとなる。
【発明の概要】
【発明が解決しようとする課題】
【０００８】
本発明の実施例の目的は、ＵＥ発見方法、ＵＥ発見装置、第１ＵＥおよび基地局を提供し、従来システムのチャネルシステムに変更がなくかつシステムの時間周波数資源を占用することなくＵＥ発見を実現することにある。
【課題を解決するための手段】
【０００９】
上記の目的を実現するために、本発明の実施例によるＵＥ発見方法において、第１ＵＥは、移動通信システムにおける上り信号を監視することと、第１ＵＥは、監視した上り信号から、上記上り信号を送信する発見待ちＵＥの識別に利用可能な第１情報を抽出することと、第１ＵＥが上記第１情報付き監視報告メッセージを基地局に送信することで、基地局は、上記監視報告メッセージを受信した後に、上記監視報告メッセージに付けた上記第１情報に基づいて上記発見待ちＵＥを特定し、上記発見待ちＵＥの機器識別子付き監視報告応答メッセージが上記第１ＵＥに返信されるようにすることと、第１ＵＥは、上記監視報告応答メッセージを受信した後に、上記監視報告応答メッセージから上記発見待ちＵＥの機器識別子を取得した後に、ＵＥ発見過程を完成することと、を含む。
【００１０】
上記のＵＥ発見方法において、上記第１ＵＥはユーザ端末機器またはｅＬＡ機器である。
【００１１】
上記のＵＥ発見方法において、上記上り信号はＳＲＳであり、上記第１情報はＳＲＳの情報である。
【００１２】
上記のＵＥ発見方法において、上記上り信号はＰＵＳＣＨにおける上りサブフレームのＲＢ上の信号であり、上記第１情報はＰＵＳＣＨにおける上りサブフレームのＲＢ上の信号の信号強度である。
【００１３】
上記のＵＥ発見方法において、第１ＵＥが移動通信システムにおける上り信号を監視することは、具体的に、第１ＵＥは、監視待ち信号がある時間周波数資源を特定することと、第１ＵＥは、上り信号受信技術を利用して、上記時間周波数資源上の信号をサンプリングしてベースバンドサンプリング信号を取得することと、を含む。
【００１４】
上記のＵＥ発見方法において、第１ＵＥは、基地局から送信された、第２ＵＥの機器識別子付きユーザ更新メッセージを受信し、ただし、監視した上り信号から抽出した第１情報が上記第２ＵＥにより上記基地局に送信された後に、基地局が上記監視報告メッセージに付けた上記第１情報から上記第１ＵＥを識別することと、第１ＵＥは、上記ユーザ更新メッセージから上記第２ＵＥの機器識別子を取得し、上記第２ＵＥの発見過程を完成することと、を更に含む。
【００１５】
上記のＵＥ発見方法において、上記監視報告応答メッセージは、具体的に、基地局が、上記発見待ちＵＥの識別後、上記発見待ちＵＥに対応するポリシーにしたがって、上記発見待ちＵＥを発見することが許可されると判断した場合に、上記第１ＵＥに返信された、上記発見待ちＵＥの機器識別子付きメッセージである。
【００１６】
上記のＵＥ発見方法において、第１ＵＥは、基地局が上記発見待ちＵＥを識別できなかったときに送信した制御メッセージを受信した後に、上記制御メッセージに付けた発信パラメータに基づいて上り信号発信処理を行うことで、上記第１ＵＥが上記の付いている発信パラメータにしたがって発信する上り信号がより容易に監視されるようにすることを更に含む。
【００１７】
上記目的をよりよく実現するために、本発明の実施例によるＵＥ発見装置において、移動通信システムにおける上り信号を監視する監視モジュールと、監視した上り信号から、上記上り信号を送信する発見待ちＵＥの識別に利用可能な第１情報を抽出する解析モジュールと、上記第１情報付き監視報告メッセージを基地局に送信することで、基地局は、上記監視報告メッセージ受信後、上記監視報告メッセージに付けた上記第１情報に基づいて上記発見待ちＵＥを特定し、上記発見待ちＵＥの機器識別子付き監視報告応答メッセージが上記第１ＵＥに返信されるようにする第１送信モジュールと、基地局が上記発見待ちＵＥを識別した後に送信した上記監視報告応答メッセージを受信した後に、上記監視報告応答メッセージから上記発見待ちＵＥの機器識別子を取得し、上記発見待ちＵＥの発見過程を完成する第１発見モジュールと、を含む。
【００１８】
上記ＵＥ発見装置において、上記監視モジュールは、具体的に、監視待ち信号がある時間周波数資源を特定する特定ユニットと、上り信号受信技術を利用して、上記時間周波数資源上の信号をサンプリングしてベースバンドサンプリング信号を取得するサンプリングユニットと、を含む。
【００１９】
上記ＵＥ発見装置において、基地局から送信された、第２ＵＥの機器識別子付きユーザ更新メッセージを受信し、ただし、監視した上り信号から抽出した第１情報が上記第２ＵＥにより上記基地局に送信された後に、基地局が上記監視報告メッセージに付けた上記第１情報から上記第１ＵＥを識別する第１受信モジュールと、上記ユーザ更新メッセージから上記第２ＵＥの機器識別子を取得し、上記第２ＵＥの発見過程を完成する第２発見モジュールと、を更に含む。
【００２０】
上記ＵＥ発見装置において、基地局が上記発見待ちＵＥを識別できなかったときに送信した制御メッセージを受信した後に、上記制御メッセージに付けた発信パラメータに基づいて、上り信号送信処理を行うように上記発信機を制御することで、上記第１ＵＥが上記の付いている発信パラメータにしたがって発信する上り信号がより容易に監視されるようにする発信制御モジュールと、を更に含む。
【００２１】
上記ＵＥ発見装置において、上記監視報告応答メッセージは、具体的に、基地局が、上記発見待ちＵＥの識別後、上記発見待ちＵＥに対応するポリシーにしたがって、上記発見待ちＵＥを発見することが許可されると判断した場合に、上記第１ＵＥに返信された、上記発見待ちＵＥの機器識別子付きメッセージである。
【００２２】
上記目的をよりよく実現するために、本発明の実施例による第１ＵＥにおいて、発信機と、受信機と、セル放送メッセージに基づいて、監視待ち信号がある時間周波数資源を特定し、上り信号受信技術を利用して上記時間周波数資源上の信号をサンプリングしてベースバンドサンプリング信号を取得するように上記受信機を制御する策略決定モジュールと、監視した上り信号から、上記上り信号を送信する発見待ちＵＥの識別に利用可能な第１情報を抽出する解析モジュールと、上記第１情報付き監視報告メッセージを基地局に送信することで、基地局は、上記監視報告メッセージ受信後、上記監視報告メッセージに付けた上記第１情報に基づいて上記発見待ちＵＥを特定し、上記発見待ちＵＥの機器識別子付き監視報告応答メッセージが上記第１ＵＥに返信されるようにする第１送信モジュールと、基地局が上記発見待ちＵＥを識別した後に送信した上記監視報告応答メッセージを受信した後に、上記監視報告応答メッセージから上記発見待ちＵＥの機器識別子を取得し、上記発見待ちＵＥの発見過程を完成する発見モジュールと、を含む。
【００２３】
上記第１ＵＥにおいて、基地局から送信された、第２ＵＥの機器識別子付きユーザ更新メッセージを受信し、ただし、監視した上り信号から抽出した第１情報が上記第２ＵＥにより上記基地局に送信された後に、基地局が上記監視報告メッセージに付けた上記第１情報から上記第１ＵＥを識別する第１受信モジュールと、上記ユーザ更新メッセージから上記第２ＵＥの機器識別子を取得し、上記第２ＵＥの発見過程を完成する第２発見モジュールと、を更に含む。
【００２４】
上記第１ＵＥにおいて、基地局が上記発見待ちＵＥを識別できなかったときに送信した制御メッセージを受信した後に、上記制御メッセージに付けた発信パラメータに基づいて、上り信号送信処理を行うように上記発信機を制御することで、上記発信機から発信する上り信号がより容易に監視されるようにする発信制御モジュールと、を更に含む。
【００２５】
上記第１ＵＥにおいて、上記監視報告応答メッセージは、具体的に、基地局が、上記発見待ちＵＥの識別後、上記発見待ちＵＥに対応するポリシーにしたがって、上記発見待ちＵＥを発見することが許可されると判断した場合に、上記第１ＵＥに返信された、上記発見待ちＵＥの機器識別子付きメッセージである。
【００２６】
上記目的をよりよく実現するために、本発明の実施例による基地局において、第１ＵＥが移動通信システムにおける上り信号を監視して、監視した上り信号から抽出したものであって、上記上り信号を送信する発見待ちＵＥの識別に利用可能な情報である第１情報付き監視報告メッセージを上記第１ＵＥから受信する第２受信モジュールと、上記第１情報に基づいて上記発見待ちＵＥを特定する特定モジュールと、上記発見待ちＵＥの機器識別子付き監視報告応答メッセージを上記第１ＵＥに返信することで、上記第１ＵＥが上記発見待ちＵＥの機器識別子に基づいてＵＥの発見過程を完成するようにする送信モジュールと、を含む。
【００２７】
上記基地局において、上記第１ＵＥはユーザ端末機器またはｅＬＡ機器である。
【００２８】
上記基地局において、第２ＵＥから送信された監視報告メッセージに付けた第１情報から上記第１ＵＥを識別した後に、第２ＵＥの機器識別子付きユーザ更新メッセージを上記第１ＵＥに送信することで、第１ＵＥが上記第２ＵＥの機器識別子に基づいて上記第２ＵＥの発見過程を完成する第２送信モジュールと、を更に含む。
【００２９】
上記基地局において、上記発見待ちＵＥを識別できなかったときに、発信パラメータ付き制御メッセージを送信することで、上記第１ＵＥが上記発信パラメータに基づいて上り信号発信処理を行って、上記第１ＵＥがより容易に監視されるようにする第３送信モジュールと、を更に含む。
【発明の効果】
【００３０】
本発明の実施例によれば、少なくとも以下の有益な効果を有する。
【００３１】
本発明の実施例のＵＥ発見方法において、第１ＵＥは、周囲の他の第１ＵＥから基地局に送信する上り信号を監視し、それからその中から、基地局による該上り信号の送信元の第１ＵＥの識別を可能とする情報を選択的に抽出した後に、該情報を基地局に送信すればよい。基地局は、該情報にしたがって、最終的な第１ＵＥ識別を行い、識別結果を第１ＵＥに返信し、第１ＵＥにより最終的な第１ＵＥ発見を完成する。分かることとして、本発明の実施例のＵＥ発見方法は、特定な時間周波数資源を占用する必要がなく、システムの周波数スペクトル資源の利用率を向上させる。また、本発明の実施例の方法は、ＵＥ発見の実現のために単独なチャネルを設置する必要もなく、従来の移動通信システムの設計への干渉が非常に小さい。
【図面の簡単な説明】
【００３２】
【図１】本発明の実施例のＵＥ発見方法のフローを示す図面である。
【図２】本発明の実施例のＵＥ発見装置の構造を示す図面である。
【図３】本発明の実施例のＵＥ発見方法がＳＲＳを利用して実現する場合の詳しいフローを示す図面である。
【図４】本発明の実施例の第１ＵＥの構造を示す図面である。
【発明を実施するための形態】
【００３３】
本発明の実施例のＵＥ発見方法、ＵＥ発見装置および第１ＵＥにおいて、ＵＥと基地局との間の上り信号を監視し、上り信号から情報を取得して基地局に送信し基地局によるＵＥ識別に供し、最後に、識別後のＵＥの識別子を基地局から受信することにより、ＵＥの発見を実現する。
【００３４】
本発明の実施例のＵＥ発見方法は、図１に示すように、第１ＵＥは、移動通信システムにおける上り信号を監視するステップ１１と、第１ＵＥは、監視した上り信号から、上記上り信号を送信する発見待ちＵＥの識別に利用する第１情報を抽出するステップ１２と、第１ＵＥが上記第１情報付き監視報告メッセージを基地局に送信することで、基地局は、上記監視報告メッセージを受信した後に、上記監視報告メッセージに付けた上記第１情報に基づいて上記発見待ちＵＥを特定し、上記発見待ちＵＥの機器識別子付き監視報告応答メッセージが上記第１ＵＥに返信されるようにするステップ１３と、第１ＵＥは、基地局が上記発見待ちＵＥを識別してから送信する上記監視報告応答メッセージを受信した後に、上記監視報告応答メッセージから上記発見待ちＵＥの機器識別子を取得し、上記発見待ちＵＥの発見過程を完成するステップ１４と、を含む。
【００３５】
本発明の実施例のＵＥ発見方法において、第１ＵＥは、周囲の他の第１ＵＥから基地局に送信する上り信号を監視し、それからその中から、基地局による該上り信号を送信する第１ＵＥの識別を可能とする情報を選択的に抽出した後に、該情報を基地局に送信すればよい。基地局は、該情報にしたがって、最終的な第１ＵＥ識別を行い、識別結果を第１ＵＥに返信し、第１ＵＥにより最終的なＵＥ発見を完成する。分かることとして、本発明の実施例のＵＥ発見方法は、特定な時間周波数資源を占用する必要がなく、システムの周波数スペクトル資源の利用率を向上させる。また、本発明の実施例の方法は、ＵＥ発見の実現のために単独なチャネルを設置する必要もなく、従来の移動通信システムの設計への干渉が非常に小さい。
【００３６】
理解すべきこととして、本発明の実施例の第１ＵＥは、ユーザ端末機器であってもよいし、ｅＬＡ機器であってもよく、他のタイプのユーザ端末であってもよいが、その実現方法には相違がない。本発明の実施例において、第１ＵＥと基地局との間の情報のインタラクティブは、移動通信網の無線リンクを通じて行ってもよいし、可能な有線接続（例えばｅＬＡ機器と基地局との間の光ファイバ接続）を通じて行ってもよく、その実現方法には相違がない。
【００３７】
本発明の実施例のＵＥ発見装置は、図２に示すように、移動通信システムにおける上り信号を監視する監視モジュールと、監視した上り信号から、上記上り信号を送信する発見待ちＵＥの識別に利用可能な第１情報を抽出する解析モジュールと、上記第１情報付き監視報告メッセージを基地局に送信することで、基地局は、上記監視報告メッセージ受信後、上記監視報告メッセージに付けた上記第１情報に基づいて上記発見待ちＵＥを特定し、上記発見待ちＵＥの機器識別子付き監視報告応答メッセージが上記第１ＵＥに返信されるようにする第１送信モジュールと、基地局が上記発見待ちＵＥを識別した後に送信した上記監視報告応答メッセージを受信した後に、上記監視報告応答メッセージから上記発見待ちＵＥの機器識別子を取得し、上記ＵＥの発見過程を完成する第１発見モジュールと、を含む。
【００３８】
本発明の具体的な実施例において、基地局は、ＵＥから送信する上り信号に基づいて、該信号がどのＵＥから送信されるものかを特定できる。したがって、本発明の実施例において、ＵＥが、監視した上り信号を直接的に基地局に送信すると、基地局は、必然的に該上り信号に基づいて対応ＵＥを特定できる。
【００３９】
しかし、ＵＥから送信する上り信号に含む情報が多く、ＵＥ識別に関係のあるものもあるし、ＵＥ識別に関係のないものもある。監視した上り信号を全て基地局に転送すると、伝送するデータ量が比較的大きくなる。したがって、本発明の具体的な実施例において、監視した上り信号から、上記上り信号を送信するＵＥの識別に利用する情報を抽出し、ＵＥ識別に関係のない情報を廃棄することによって、基地局によるＵＥ識別を保証すると同時に、データの送信量を低下させる。
【００４０】
本発明の具体的な実施例において、第１ＵＥは、移動通信システムにおける上り信号を監視する必要がある。もちろん、第１ＵＥはリアルタイムに監視してよい。しかし、このような方式は、電気量の損耗が極めて大きく、処理資源の損耗も比較的に大きい。電気量の損耗を低減し、処理資源の利用率を向上するために、本発明の具体的な実施例において、第１ＵＥが移動通信システムにおける上り信号を監視することは、具体的に、第１ＵＥは、監視待ち信号がある時間周波数資源を特定することと、第１ＵＥは、上り信号受信技術を利用して、上記時間周波数資源上の信号をサンプリングしてベースバンドサンプリング信号を取得することと、を含む。
【００４１】
該監視モジュールは、具体的に、監視待ち信号がある時間周波数資源を特定する特定ユニットと、上り信号受信技術を利用して、上記時間周波数資源上の信号をサンプリングしてベースバンドサンプリング信号を取得するサンプリングユニットと、を含む。
【００４２】
上記の処理により、本発明の実施例の方法と装置は、全ての時間周波数資源上の上り信号を監視するのではなく、特定な時間周波数資源において選択的に監視するものであり、電気量の損耗、処理資源の損耗などの面で監視の効率を向上している。
【００４３】
これについて下記のように例を挙げて説明する。
【００４４】
ＵＥ  Ａは、基地局から放送するセルメッセージを受信し、セルメッセージから各上り物理層チャネルの位置を判断し、適切な物理層チャネルを選択して監視することができる。その後、ＵＥ  Ａは、選択された時間周波数資源位置において監視する。例えば、上り信号受信技術を利用して、該時間周波数位置にある信号のベースバンドサンプリング信号を得る。システムの配置に基づき、ＵＥ  Ｂは、この時間周波数資源において特定な上り信号を送信する。例えば、第１ＵＥは、特定フレームの特定シンボルにおいてＳＲＳを送信する。したがって、ＵＥ  ＢがＵＥ  Ａの近くにあれば、ＵＥ  Ａは、ＵＥ  Ｂから送信する上り信号を監視できる。
【００４５】
本発明の具体的な実施例の以上の記載には、上り信号の形式と種類について制限がない。ユーザの上り信号は、ユーザデータの可能性もあれば、ある種類の上り制御信号の可能性もある。当該種類の上り信号から、基地局による該上り信号の送信元のＵＥの識別に十分な情報を復元できればよい。異なるユーザ上り信号に対応して、異なる検出アルゴリズムによって上り信号から情報を復元できる。当該監視した上り信号から抽出した第１情報は、種類に制限がなく、上り信号から抽出可能であってＵＥの識別に利用可能なものであればよい。以下、上記第１情報のいくつかの可能な実現方式について、下記のように説明する。
【００４６】
（実現方式１）
実現方式１において、上り信号はＳＲＳであり、第１情報はＳＲＳの情報である。
【００４７】
周波数の選択的スケジューリングをサポートするために、ＵＥは、比較的大きい帯域幅をサウンディングする必要があり、通常は現在のデータ伝送帯域幅をはるかに超え、これでＳＲＳ（Sounding  Reference  Signal）を応用する必要がある。
【００４８】
ＬＴＥにおいて、ｅＮｏｄｅＢは、ＳＲＳを一回的または周期的に送信するように各ＵＥをスケジューリングすることができる。ＳＲＳ送信周期は、２／５／１０／２０／４０／８０／１６０／３２０ミリ秒であってよい。
【００４９】
ＵＥは、特定な時間周波数資源においてＳＲＳを送信する必要がある以上、該特定な時間周波数資源を監視することにより、他のＵＥから送信するＳＲＳを取得することができ、さらに、取得したＳＲＳの帯域幅、位置、ｃｏｍｂ選択肢、循環シフト値など、各種類のパラメータを特定することができる。
【００５０】
この場合、基地局は、各受信したＳＲＳのパラメータと該ＳＲＳの送信元のＵＥのＩＤに対応的に格納しているのであれば、ＵＥから報告するＳＲＳの帯域幅、位置、ｃｏｍｂ選択肢、循環シフト値など、各種類のパラメータを受信すると、該ＳＲＳの送信元のＵＥを対応関係テーブルから見つけ、特定されたＵＥ識別子を、ＳＲＳパラメータの送信元のＵＥに返信することができる。
【００５１】
これについて詳しく例を挙げて次のように説明する。
【００５２】
図３に示すように、具体的な過程は、次のステップ３１〜３６を含む。
【００５３】
ステップ３１において、第１ＵＥは、システム放送メッセージを受信して解析し、ＳＲＳのサブフレーム配置情報を特定する。
【００５４】
ここで、該サブフレーム配置情報は、すなわちＳＲＳの位置情報である。例えば、第１ＵＥは、システム放送メッセージを解析することにより、フレーム１１のサブフレーム３の最後のシンボルがＳＲＳを送信するためのものであると分かる。すると、第１ＵＥは、このシンボルを監視して検出を行うことができる。
【００５５】
ステップ３２において、第１ＵＥは、ＳＲＳのサブフレーム配置情報に基づいて、ＳＲＳ付きサブフレームを監視する。
【００５６】
ステップ３３において、第１ＵＥは、監視結果に基づいて、監視したサブフレームに付けたＳＲＳの関連パラメータ、例えば帯域幅、サブフレームにおける位置、循環シフト値などを特定する。例えば、帯域幅は１２個のＲＢ（Resource  Block）であり、第３７〜４８個のＲＢに位置し、循環シフト値は1であると特定する。
【００５７】
ステップ３４において、第１ＵＥは、上記ＳＲＳのサブフレーム配置情報とＳＲＳの関連パラメータを監視報告メッセージにより基地局に送信する。
【００５８】
ステップ３５において、基地局は、監視報告メッセージを受信した後に、サブフレーム配置情報により示される位置においてパラメータが上記ＳＲＳの関連パラメータのＳＲＳを送信した発見待ちＵＥを検索する。
【００５９】
上記例の場合、ステップ３５において、基地局は、フレーム１１のサブフレーム３において帯域幅が１２ＲＢ、初期位置が３７ＲＢ、循環シフト値が１のＳＲＳを送信したユーザを検索する。
【００６０】
ステップ３６において、基地局は、検索した発見待ちＵＥのＩＤを監視報告応答メッセージに付けて第１ＵＥに返信する。
【００６１】
もちろん、以上は例を挙げて説明したに過ぎない。当業者は、他のフローを通じても、ＳＲＳに基づくユーザ発見を実現することができる。ここでは枚挙しない。
【００６２】
（実現方式２）
実現方式２において、上記上り信号は、ＰＵＳＣＨにおける上りサブフレームのＲＢ上の信号であり、第１情報は、ＰＵＳＣＨにおける上りサブフレームのＲＢ上の信号強度である。
【００６３】
ＰＵＳＣＨ（Physical  Uplink  Shared  Channel）は、伝送チャネルからのデータを伝送するチャネルである。シェアドとは、同一物理チャネルが複数のユーザにより時間分割で使用されることである。
【００６４】
したがって、ＵＥは、ＰＵＳＣＨを監視することにより、監視したＰＵＳＣＨの上りサブフレームのＲＢ上の信号強度を取得することができる。
【００６５】
基地局は、上りサブフレームのユーザスケジューリング情報を有し、すなわち、上りサブフレームの各ＲＢ上の信号がどのＵＥから送信するものかを知るため、ＵＥから送信するＰＵＳＣＨにおける上りサブフレームのＲＢ上の信号強度を受信すると、ＵＥが検出した上りサブフレームのＲＢ上の信号強度に基づいて、監視ＵＥ付近のＵＥを特定し、さらに、特定されたＵＥ識別子を、ＵＥ発見を発したＵＥに返信することができる。
【００６６】
本発明の実施例の第１ＵＥは、図４に示すように、発信機と、受信機と、セル放送メッセージに基づいて、監視待ち信号がある時間周波数資源を特定し、上り信号受信技術を利用して上記時間周波数資源上の信号をサンプリングしてベースバンドサンプリング信号を取得するように上記受信機を制御する策略決定モジュールと、監視した上り信号から、上記上り信号を送信する発見待ちＵＥの識別に利用可能な第１情報を抽出する解析モジュールと、上記第１情報付き監視報告メッセージを基地局に送信することで、基地局は、上記監視報告メッセージ受信後、上記監視報告メッセージに付けた上記第１情報に基づいて上記発見待ちＵＥを特定し、上記発見待ちＵＥの機器識別子付き監視報告応答メッセージが上記第１ＵＥに返信されるようにする第１送信モジュールと、基地局が上記発見待ちＵＥを識別した後に送信した上記監視報告応答メッセージを受信した後に、上記監視報告応答メッセージから上記発見待ちＵＥの機器識別子を取得し、ＵＥの発見過程を完成する発見モジュールと、を含む。
【００６７】
本発明の具体的な実施例のＵＥは、他のＵＥの上り信号を監視する必要があるため、元々基地局側で実現する受信機をＵＥに備える必要がある。本発明の具体的な実施例において、第１ＵＥにおける受信モジュールについての変更は、Ｄ２Ｄ通信と同じである可能性もあるし、異なる可能性もある。例えば、ＬＴＥ−ＦＤＤシステムにおいて、第１ＵＥ間通信（Ｄ２Ｄ）において従来のセルラー通信システムの上り周波数で通信するのであれば、本発明は、Ｄ２Ｄ通信同様に、受信モジュールにおいて上りユーザ信号を受信できることを必要とする。しかし、Ｄ２Ｄでは下り周波数で通信するのであれば、単純なＤ２Ｄ通信において、他の受信機を必要としなくても他の第１ユーザのユーザ信号を受信することができるが、本発明の具体的な実施例の第１ＵＥは、やはり上記の受信機を必要として上り信号を監視する。
【００６８】
本発明の具体的な実施例において、基地局側では、基地局がＵＥから送信する上り信号を通常に受信すると同時に、ＵＥ  ＩＤと上り信号形式、占用する時間周波数資源位置などの情報との対応関係を記録する。実際の発見過程において、限られた数種類の上り信号を選択して監視してよいので、基地局は、全ての上り信号形式とＵＥ  ＩＤとの関係を記録しなくてもよく、選択された上り信号とＵＥ  ＩＤとの対応関係を記録すればよい。もちろん、基地局は、時間の閾値を設定し、時間切れの対応関係を廃棄してもよい。時間閾値の長さは、有効な対応関係が廃棄されないように保証しなければならない。基地局は、ＵＥから送信される監視報告メッセージを受信すると、メッセージに含まれるフレーム番号及び検出結果などの情報と、基地局に記憶される対応関係とをマッチングし、対応している上り信号の送信元のＵＥ  ＩＤを見つける。基地局は、ＵＥ  ＩＤをマッチングして見つけると、監視報告応答メッセージにより発見を発したＵＥにＩＤを返信する。
【００６９】
本発明の具体的な実施例の方法を利用すれば、どのＵＥでも発見過程を発する可能性もあり、基地局が、第１ＵＥが発見したほかの機器を知るものである。理解すべきこととして、ＵＥ  ＡがＵＥ  Ｂを発見できるとき、ＵＥ  ＢもＵＥ  Ａを発見できる。発見の効率を向上するために、本発明の実施例のＵＥ発見方法は、第１ＵＥは、基地局から送信された、第２ＵＥの機器識別子付きユーザ更新メッセージを受信し、ただし、監視した上り信号から抽出した第１情報が上記第２ＵＥにより上記基地局に送信された後に、基地局が上記監視報告メッセージに付けた上記第１情報から上記第１ＵＥを識別することと、第１ＵＥは、上記ユーザ更新メッセージから上記第２ＵＥの機器識別子を取得し、上記第２ＵＥの発見過程を完成することと、を更に含む。
【００７０】
上記の方式によって、基地局は、ＵＥ  ＡがＵＥ  Ｂを発見したことを把握した後に、ＵＥ  Ａの機器識別子を直接ＵＥ  Ｂに送信する。よって、ＵＥ  Ｂは、新しい機器発見過程を発さなくてもＵＥ  Ａの発見を完成でき、ＵＥ発見の効率を向上させる。
【００７１】
上記の方式において、本発明の実施例のＵＥ発見装置は、基地局から送信された、第２ＵＥの機器識別子付きユーザ更新メッセージを受信し、ただし、監視した上り信号から抽出した第１情報が上記第２ＵＥにより上記基地局に送信された後に、基地局が上記監視報告メッセージに付けた上記第１情報から上記第１ＵＥを識別する第１受信モジュールと、上記ユーザ更新メッセージから上記第２ＵＥの機器識別子を取得し、上記第２ＵＥの発見過程を完成する第２発見モジュールと、を更に含む。
【００７２】
本発明の具体的な実施例において、ＵＥによるＵＥ発見は、自発的に発するものであってもよいし、基地局から送信する発見指令に基づいて発するものであってもよい。以下、第２種類方式について詳細に説明する。
【００７３】
場合によっては、基地局は、ＵＥの大体の位置を把握することができる。この場合、ＵＥ同士は互いに発見できる可能性がある。しかし、基地局がＵＥの正確な位置を特定できないため、この場合、そのうちの一つのＵＥに対して、指定の時間周波数資源及び信号形式を通知する。よって、当該通知されたＵＥは、指定の時間周波数資源において監視し、信号形式にしたがって解析を行う。
【００７４】
ＵＥ自身で時間周波数資源を算出し、自身で信号形式を特定するという方式に比較し、時間周波数資源と信号形式はともにスケジューラとしての基地局によって告知される。したがって、ＵＥが必要とする処理を低減するだけではなく、監視もより正確的なものとなり、ＵＥ発見の効率を向上させる。
【００７５】
本発明の具体的な実施例において、ＵＥの発見は、別のＵＥのプライバシーポリシーを満足しなければならない。したがって、本発明の具体的な実施例において、基地局は、上記発見待ちＵＥを識別した後に、上記発見待ちＵＥに対応するポリシーにしたがって、上記発見待ちＵＥを発見することが許可されるか否かを判断する。上記発見待ちＵＥがその発見を許可される場合のみにおいて、上記発見待ちＵＥの機器識別子付きの監視報告応答メッセージを上記第１ＵＥに返信する。
【００７６】
本発明の具体的な実施例において、ＵＥの位置が異なると、周囲のＵＥを監視、検出、発見する効果に相違がある。例えば、異なるＵＥは、自身の上りタイミングを調整することにより、全てのＵＥの上り信号が同時に基地局に到着するのをなるべく保証する。監視ＵＥが基地局から比較的離れた場合、他のＵＥの上り信号が監視ＵＥに到着するタイミング誤差が比較的大きいものとなり、監視検出効果の低下をもたらす。この場合、本発明の具体的な実施例において、ＵＥは、基地局との距離が所定の閾値より大きいと判断した場合、上記監視報告メッセージには、発見補助パラメータも付いている。それによって、基地局は、上記監視報告メッセージを受信した後に、上記監視報告メッセージに付けた上記第１情報と上記発見補助パラメータに基づいて上記発見待ちＵＥを識別し、上記発見待ちＵＥの機器識別子付きの監視報告応答メッセージを上記第１ＵＥに返信する。
【００７７】
本発明の具体的な実施例において、該補助パラメータは、信号強度であってよい。
【００７８】
例えば、監視ＵＥが基地局から比較的離れた場合、監視ＵＥに比較的近い信号検出結果のみが比較的正確である。基地局は、信号強度に基づいて、監視報告メッセージの正確度合いを大体判断することができ、誤検出の発生を回避する。
【００７９】
本発明の具体的な実施例において、基地局は、ＵＥから送信する一回の監視報告メッセージに基づいてＵＥ識別を行ってもよいし、一定時間内に受信した監視報告メッセージに基づいてＵＥ識別を行ってもよく、または所定量の監視報告メッセージを受信した後に、ＵＥの識別を行う。
【００８０】
一回の監視報告メッセージを採用してＵＥの識別を行う方式に比較し、複数の監視報告メッセージを利用してＵＥの識別を行うことは、より正確であり、識別の漏洩を低下させることもできる。
【００８１】
本発明の具体的な実施例において、基地局は、上記監視報告メッセージに付けた上記第１情報に基づいて上記発見待ちＵＥを識別することができない一方、発見可能なＵＥが第１ＵＥの付近にあることを特定可能な場合に、第１ＵＥの上り信号の送信方式をスケジューリングすることができ、他の機器に発見されやすくようにして、機器同士の発見過程を加速させる。
【００８２】
このような方式において、本発明の実施例のＵＥ発見方法は、第１ＵＥは、基地局が上記発見待ちＵＥを識別できなかったときに送信した制御メッセージを受信した後に、上記制御メッセージに付けた発信パラメータに基づいて上り信号発信処理を行うことで、上記第１ＵＥが上記の付いている発信パラメータにしたがって発信する上り信号がより容易に監視されるようにすることを更に含む。
【００８３】
本発明の実施例のＵＥ発見装置は、基地局が上記発見待ちＵＥを識別できなかったときに送信した制御メッセージを受信した後に、上記制御メッセージに付けた発信パラメータに基づいて、上り信号送信処理を行うように上記発信機を制御することで、上記発信機から発信する上り信号がより容易に監視されるようにする発信制御モジュールと、を更に含む。
【００８４】
本発明の具体的な実施例において、該発信パラメータは、発信パワー、信号形式などであってよい。例えば、より高いパワーで上り信号を発信し、または、より監視されやすい種類の信号形式（例えばＳＲＳ信号のシーケンス長を変更する）で上り信号を送信する。
【００８５】
本発明の実施例の基地局は、第１ＵＥが移動通信システムにおける上り信号を監視して、監視した上り信号から抽出したものであって、上記上り信号を送信する発見待ちＵＥの識別に利用可能な情報である第１情報付き監視報告メッセージを上記第１ＵＥから受信する第２受信モジュールと、上記第１情報に基づいて上記発見待ちＵＥを特定する特定モジュールと、上記発見待ちＵＥの機器識別子付き監視報告応答メッセージを上記第１ＵＥに返信することで、上記第１ＵＥが上記発見待ちＵＥの機器識別子に基づいてＵＥの発見過程を完成するようにする送信モジュールと、を含む。
【００８６】
上記第１ＵＥは、ユーザ端末機器またはｅＬＡ機器である。
【００８７】
上記基地局は、第２ＵＥから送信された監視報告メッセージに付けた第１情報から上記第１ＵＥを識別した後に、第２ＵＥの機器識別子付きユーザ更新メッセージを上記第１ＵＥに送信することで、第１ＵＥが上記第２ＵＥの機器識別子に基づいて上記第２ＵＥの発見過程を完成する第２送信モジュールと、を更に含む。
【００８８】
上記基地局は、上記発見待ちＵＥを識別できなかったときに、発信パラメータ付き制御メッセージを送信することで、上記第１ＵＥが上記発信パラメータに基づいて上り信号発信処理を行って、上記第１ＵＥがより容易に監視されるようにする第３送信モジュールと、を更に含む。
【００８９】
以上の記載は、本発明の好ましい実施形態に過ぎない。本技術分野の一般技術者にとって、本発明の原理を逸脱しない前提において、さらにいくつかの改良と修飾をすることができる。これらの改良と修飾は、本発明の保護範囲に含まれると見なされるべきである。
【図１】
2014023157.tif 000003
【図２】
2014023157.tif 000004
【図３】
2014023157.tif 000005
【図４】
2014023157.tif 000006